(57)【要約】【課題】簡単な回路で歪み波形や直流成分を含んだ交流電流でも正確に計量できる電子式電力量計を提供する。【解決手段】電源から第１経路１６，１７を介して負荷に供給される電圧及び電流を第１経路を構成する第１線路１６の電位を基準電位として検出して電力を計算し、第１線路１６の電位を基準電位とする第１電力信号として出力する第１電力−パルス変換部９と、電源から第２経路１７，１８を介して負荷に供給される電圧及び電流を該第２経路を構成する第３線路１８の電位を基準電位として検出して電力を計算し、第３線路１８の電位を基準電位とする第２電力信号として出力する第２電力−パルス変換部１１と、第２電力−パルス変換部１１からの第２電力信号を第１線路１６の電位を基準電位とする第３電力信号に変換する第１及び第２光結合部１２，１３と、第１電力信号と第３電力信号とを合成して電力量を求めるパルス合成・積算計量部１４とを備える。【選択図】　　　図１
2004138493.tif 000002
【特許請求の範囲】
【請求項１】
電源から第１経路を介して負荷に供給される電圧及び電流を該第１経路を構成する第１線路の電位を基準電位として検出して電力を計算し、前記第１線路の電位を基準電位とする第１電力信号として出力する第１電力計算部と、
前記電源から第２経路を介して前記負荷に供給される電圧及び電流を該第２経路を構成する第３線路の電位を基準電位として検出して電力を計算し、前記第３線路の電位を基準電位とする第２電力信号として出力する第２電力計算部と、
前記第２電力計算部からの前記第２電力信号を前記第１線路の電位を基準電位とする第３電力信号に変換する変換部と、
前記第１電力計算部からの前記第１電力信号と前記変換部からの前記第３電力信号とを合成して電力量を求める計量部と、
を備えることを特徴とする電子式電力量計。
【請求項２】
前記第１電力計算部は、前記第１電力信号として、前記計算された電力に含まれる正方向の電力に比例した周波数の正パルス信号と負方向の電力に比例した周波数の負パルス信号とを出力し、
前記第２電力計算部は、前記第２電力信号として、前記計算された電力に含まれる正方向の電力に比例した周波数の正パルス信号と負方向の電力に比例した周波数の負パルス信号とを出力し、
前記計量部は、前記第１電力計算部からの前記第１電力信号に含まれる正パルス信号及び負パルス信号と、前記変換部からの前記第３電力信号に含まれる正パルス信号及び負パルス信号とを符号を考慮して積算することにより電力量を求めることを特徴とする請求項１記載の電子式電力量計。
【請求項３】
前記第１電力計算部は、前記第１電力信号として、前記計算された電力に比例した周波数のパルス信号と該パルス信号が正方向の電力であるか負方向の電力であるかを表す符号信号とを出力し、
前記第２電力計算部は、前記第２電力信号として、前記計算された電力に比例した周波数のパルス信号と該パルス信号が正方向の電力であるか負方向の電力であるかを表す符号信号とを出力し、
前記計量部は、前記第１電力計算部からの前記第１電力信号に含まれるパルス信号を符号信号に応じて累積的に加算又は減算して第１電力量を算出し、前記第２電力計算部から前記変換部を経由して送られてくる前記第３電力信号に含まれるパルス信号を符号信号に応じて累積的に加算又は減算して第３電力量を算出し、前記第１電力量と前記第３電力量とを加算することにより電力量を求めることを特徴とする請求項１記載の電子式電力量計。
【請求項４】
前記第１電力計算部は、前記第１線路に挿入されたシャント抵抗を用いて前記第１経路を流れる電流を検出し、
前記第２電力計算部は、前記第３線路に挿入されたシャント抵抗を用いて前記第２経路を流れる電流を検出する、ことを特徴とする請求項１乃至請求項３のいずれか１項記載の電子式電力量計。
【請求項５】
前記変換部は、フォトカプラから構成されていることを特徴とする請求項１乃至請求項４のいずれか１項記載の電子式電力量計。
【発明の詳細な説明】
【０００１】
【発明の属する技術分野】
本発明は電子式電力量計に関し、特に電気使用量を正確に計量する技術に関する。
【０００２】
【従来の技術】
従来、ユーザによる電気使用量を計量するために電子式電力量計が使用されている。図３はこのような電子式電力量計の１つである低圧用の単相３線式の電子式電力量計の構成を示すブロック図である（特許文献１）。この電子式電力量計は、電源側端子２、負荷側端子３、第１電流検出部（ＣＴ１）３２、第３電流検出部（ＣＴ３）３３、第１電圧検出部４、第３電圧検出部５、電源回路３４、電力−パルス変換部３５、積算計量部３６及び表示部１５から構成されている。
【０００３】
電源側端子２は、電源の第１相が接続される端子１Ｓ、ニュートラル相（Ｎ相）が接続される端子２Ｓ、及び第３相が接続される端子３Ｓから構成されている。なお、単相３線式の場合は、第１相の電力と第３相の電力とは位相が異なる訳ではない（単相である）が、本明細書では便宜上、「第１相」及び「第３相」と呼ぶ。同様に、負荷側端子３は、負荷の第１相に接続される端子１Ｌ、ニュートラル相（Ｎ相）に接続される端子２Ｌ、及び第３相に接続される端子３Ｌから構成されている。
【０００４】
電源側からの電力は、電子式電力量計の電源側端子２から負荷側端子３を経由して負荷側へ供給される。以下では、電源側端子２の端子１Ｓから負荷側端子３の端子１Ｌまでを第１線路１６、電源側端子２の端子２Ｓから負荷側端子３の端子２Ｌまでを第２線路１７、電源側端子２の端子３Ｓから負荷側端子３の端子３Ｌまで第３線路１８と呼ぶ。
【０００５】
第１電流検出部３２は、第１線路１６を貫通させるように配置された電流トランスから構成されている。第１電流検出部３２は、第１線路１６を流れる電流を非接触で検出し、第１電流信号Ｉ１として電力−パルス変換部３５に送る。第１電流信号Ｉ１の電位は、第１線路１６の電位とは分離（絶縁）されている。
【０００６】
第１電圧検出部４は、第２線路１７の電位に対する第１線路１６の電位、つまりＮ相を基準とする第１相の電圧を検出する。第１電圧検出部４は、一端が第２線路１７に接続された抵抗Ｒ１１と、この抵抗Ｒ１１の他端に一端が接続されると共に他端が第１線路１６に接続された抵抗Ｒ１２とから構成されている。第１電圧検出部４は、抵抗Ｒ１１とＲ１２との接続点の電圧を第１電圧信号Ｖ１として電力−パルス変換部３５に送る。この場合、抵抗Ｒ１１及びＲ１２の各抵抗値は、第１電圧信号Ｖ１が数ボルト程度といったロジックレベルの信号になるように選択されている。
【０００７】
第３電流検出部３３は、第３線路１８を貫通させるように配置された電流トランスから構成されている。第３電流検出部３３は、第３線路１８を流れる電流を非接触で検出し、第３電流信号Ｉ３として電力−パルス変換部３５に送る。第３電流信号Ｉ３の電位は、第３線路１８の電位とは分離（絶縁）されている。
【０００８】
第３電圧検出部５は、第２線路１７の電位に対する第３線路１８の電位、つまりＮ相を基準とする第３相の電圧を検出する。第３電圧検出部５は、一端が第２線路１７に接続された抵抗Ｒ２１と、この抵抗Ｒ２１の他端に一端が接続されると共に他端が第３線路１８に接続された抵抗Ｒ２２とから構成されている。第３電圧検出部５は、抵抗Ｒ２１とＲ２２との接続点の電圧を第３電圧信号Ｖ３として電力−パルス変換部３５に送る。この場合、抵抗Ｒ２１及び抵抗Ｒ２２の各抵抗値は、第３電圧信号Ｖ３がロジックレベルの信号になるように選択されている。
【０００９】
電源回路３４は、Ｎ相と第１相との相間電圧（単相３線式では１００Ｖ）からロジックレベルの電圧を有する直流電力を生成する。この場合、第２線路１７の電位が基準電位、つまりグランドＧとして使用されている。この電源回路３４で生成された直流電力は、電力−パルス変換部３５、積算計量部３６及び表示部１５に供給される。
【００１０】
電力−パルス変換部３５は、第１電流検出部３２からの第１電流信号Ｉ１と第１電圧検出部４からの第１電圧信号Ｖ１とを乗算して第１相の電力を算出し、また、第３電流検出部３３からの第３電流信号Ｉ３と第３電圧検出部５からの第３電圧信号Ｖ３とを乗算して第３相の電力を算出し、これら算出された２つの電力を合成して合成電力を求める。そして、求められた合成電力に比例する周波数のパルスを有するパルス信号Ｐを生成して積算計量部３６に送る。
【００１１】
積算計量部３６は、電力−パルス変換部３５から送られてくるパルス信号Ｐに含まれるパルスを積算（累積加算）して記憶すると共に、記憶されている積算されたパルス数を使用電力量として表示部１５に送る。これにより、使用電力量が表示部１５に表示される。
【００１２】
【特許文献１】
特許第３１１２６１１号（第３頁−６頁、第５図）
【００１３】
【発明が解決しようとする課題】
上述したように、従来の電子式電力量計においては、電源側から負荷側に流れる交流電流を検出するために電流トランスが使用されている。この電流トランスは、交流電流が正弦波形を有する場合は問題ないが、正弦波形が歪んだり、交流電流が直流成分を含む場合は正確な計測ができなくなる。特に、最近は負荷の多様化が著しく、交流電流の正弦波形に歪みが発生したり、交流電流に直流成分が含まれる可能性がある。従って、このような悪条件でも正しい電力量を計量できる電力量計が求められている。
【００１４】
ところで、歪んだ波形を有する電流や直流成分を含んだ電流を計測するためには、シャント抵抗を用いて電源側から負荷側に流れる電流を直接計測することが考えられる。シャント抵抗は、電流の流れを阻害しないで低レベルの電流信号を検出するための抵抗である。しかしながら、従来の電流トランスをシャント抵抗に置き換えようとすると、単相３線式等といった電力量の計算のために２つ以上の乗算が必要な電子式電力量計では、第１線路１６と第３線路１８との基準電位が異なるため、シャント抵抗からの信号を電力−パルス変換部に入力することができない。
【００１５】
本発明は、簡単な回路で歪み波形や直流成分を含んだ交流電流でも正確に計量できる電子式電力量計を提供することにある。
【００１６】
【課題を解決するための手段】
上記課題を達成するために、請求項１の発明は、電源から第１経路を介して負荷に供給される電圧及び電流を該第１経路を構成する第１線路の電位を基準電位として検出して電力を計算し、第１線路の電位を基準電位とする第１電力信号として出力する第１電力計算部と、電源から第２経路を介して負荷に供給される電圧及び電流を該第２経路を構成する第３線路の電位を基準電位として検出して電力を計算し、第３線路の電位を基準電位とする第２電力信号として出力する第２電力計算部と、第２電力計算部からの第２電力信号を第１線路の電位を基準電位とする第３電力信号に変換する変換部と、第１電力計算部からの第１電力信号と変換部からの第３電力信号とを合成して電力量を求める計量部とを備えることを特徴とする。
【００１７】
請求項１の発明によれば、第１経路の電力を表す第１電力信号と第２経路の電力を表す第２電力信号とは基準電位が異なる信号であるが、第２電力信号の基準電位を第１電力信号の基準電位と同じになるように変換し、この変換により得られた第３電力信号と第１電力信号とを合成し、電力量を求めるようにしている。従って、例えば従来の電子式電力量計で使用されている電流トランスの代わりに例えばシャント抵抗を用いることが可能になり、その結果、簡単な回路で歪み波形や直流成分を含んだ交流電流でも正確に計量できる。
【００１８】
請求項２の発明において、第１電力計算部は、第１電力信号として、計算された電力に含まれる正方向の電力に比例した周波数の正パルス信号と負方向の電力に比例した周波数の負パルス信号とを出力し、第２電力計算部は、第２電力信号として、計算された電力に含まれる正方向の電力に比例した周波数の正パルス信号と負方向の電力に比例した周波数の負パルス信号とを出力し、計量部は、第１電力計算部からの第１電力信号に含まれる正パルス信号及び負パルス信号と、変換部からの第３電力信号に含まれる正パルス信号及び負パルス信号とを符号を考慮して積算することにより電力量を求めるように構成できる。
【００１９】
請求項２の発明によれば、電力量が正パルス信号及び負パルス信号で得られるので、電子式電力量計で一般に採用されているプロセッサを流用したデジタル処理によって積算処理を行うことができる。
【００２０】
請求項３の発明において、第１電力計算部は、第１電力信号として、計算された電力に比例した周波数のパルス信号と該パルス信号が正方向の電力であるか負方向の電力であるかを表す符号信号とを出力し、第２電力計算部は、第２電力信号として、計算された電力に比例した周波数のパルス信号と該パルス信号が正方向の電力であるか負方向の電力であるかを表す符号信号とを出力し、計量部は、第１電力計算部からの第１電力信号に含まれるパルス信号を符号信号に応じて累積的に加算又は減算して第１電力量を算出し、第２電力計算部から変換部を経由して送られてくる第３電力信号に含まれるパルス信号を符号信号に応じて累積的に加算又は減算して第３電力量を算出し、第１電力量と第３電力量とを加算することにより電力量を求めるように構成できる。
【００２１】
請求項３の発明によれば、電力量がパルス信号及び符号信号で得られるので、電子式電力量計で一般に採用されているプロセッサを流用したデジタル処理によって電力量を求めることができる。
【００２２】
請求項４の発明において、第１電力計算部は、第１線路に挿入されたシャント抵抗を用いて第１経路を流れる電流を検出し、第２電力計算部は、第３線路に挿入されたシャント抵抗を用いて第２経路を流れる電流を検出するように構成できる。請求項５の発明において、変換部は、フォトカプラから構成できる。
【００２３】
【発明の実施の形態】
以下、本発明の実施の形態に係る電子式電力量計を図面を参照しながら詳細に説明する。なお、以下では、従来の技術の欄で説明した部分と同一又は相当部分には同じ符号を付して説明する。
【００２４】
（第１の実施の形態）
図１は本発明の第１の実施の形態に係る低圧用の単相３線式の電子式電力量計の構成を示すブロック図である。この電子式電力量計は、電源側端子２、負荷側端子３、第１電圧検出部４、第３電圧検出部５、第１電流検出部６、第３電流検出部７、第１電源回路８、第１電力−パルス変換部９、第３電源回路１０、第３電力−パルス変換部１１、第１光結合部１２、第２光結合部１３、パルス合成・積算計量部１４及び表示部１５から構成されている。
【００２５】
電源側端子２は、電源の第１相が接続される端子１Ｓ、ニュートラル相（Ｎ相）が接続される端子２Ｓ、及び第３相が接続される端子３Ｓから構成されている。同様に、負荷側端子３は、負荷の第１相に接続される端子１Ｌ、ニュートラル相（Ｎ相）に接続される端子２Ｌ、及び第２相に接続される端子３Ｌから構成されている。
【００２６】
電源側からの電力は、電子式電力量計の電源側端子２から負荷側端子３を経由して負荷側へ供給される。以下では、電源側端子２の端子１Ｓから負荷側端子３の端子１Ｌまでを第１線路１６、電源側端子２の端子２Ｓから負荷側端子３の端子２Ｌまでを第２線路１７、電源側端子２の端子３Ｓから負荷側端子３の端子３Ｌまでを第３線路１８と呼ぶ。本発明の第１経路は、第１線路１６と第２線路１７とから構成され、本発明の第２経路は、第３線路１８と第２線路１７とから構成されている。
【００２７】
第１電圧検出部４は、第１線路１６の電位に対する第２線路１７の電位、つまり第１相を基準とするＮ相の電圧を検出する。第１電圧検出部４は、一端が第１線路１６に接続された抵抗Ｒ１１と、この抵抗Ｒ１１の他端に一端が接続されると共に他端が第２線路１７に接続された抵抗Ｒ１２とから構成されている。第１電圧検出部４は、抵抗Ｒ１１とＲ１２との接続点の電圧を第１電圧信号Ｖ１として第１電力−パルス変換部９に送る。この場合、抵抗Ｒ１１及びＲ１２の各抵抗値は、第１電圧信号Ｖ１が数ボルト程度といったロジックレベルの信号になるように選択される。
【００２８】
第１電流検出部６は、第１線路１６に挿入されたシャント抵抗から構成されており、第１線路１６を流れる電流を第１線路１６の電位を基準として検出する。第１電流検出部６で検出された第１電流信号Ｉ１は、第１電力−パルス変換部９に送られる。
【００２９】
第１電源回路８は、第１相とＮ相との相間電圧（単相３線式では１００Ｖ）からロジックレベルの電圧を有する直流電力を生成する。この場合、第１線路１６の電位が基準電位、つまりグランドＧ１として使用される。第１電源回路８で生成された直流電力は、第１電力−パルス変換部９、パルス合成・積算計量部１４及び表示部１５に供給される。
【００３０】
第１電力−パルス変換部９は、本発明の第１電力計算部に対応する。第１電力−パルス変換部９は、第１電圧検出部４からの第１電圧信号Ｖ１と第１電流検出部６からの第１電流信号Ｉ１とを乗算して第１相（本発明の第１経路に対応する）の電力を算出し、算出された電力に含まれる正方向の電力に比例した周波数の正パルス信号＋Ｐ１と負方向の電力に比例した周波数の負パルス信号−Ｐ１とから成る第１電力信号を生成する。従って、この第１電力信号は、第１線路１６の電位を基準とする信号である。第１電力−パルス変換部９で生成された正パルス信号＋Ｐ１及び負パルス信号−Ｐ１は、パルス合成・積算計量部１４に送られる。
【００３１】
第３電圧検出部５は、第３線路１８の電位に対する第２線路１７の電位、つまり第３相を基準とするＮ相の電圧を検出する。第３電圧検出部５は、一端が第３線路１８に接続された抵抗Ｒ２１と、この抵抗Ｒ２１の他端に一端が接続されると共に他端が第２線路１７に接続された抵抗Ｒ２２とから構成されている。第３電圧検出部５は、抵抗Ｒ２１とＲ２２との接続点の電圧を第３電圧信号Ｖ３として第２電力−パルス変換部１１に送る。この場合、抵抗Ｒ２１及びＲ２２の各抵抗値は、第３電圧信号Ｖ３がロジックレベルの信号になるように選択される。
【００３２】
第３電流検出部７は、第３線路１８に挿入されたシャント抵抗から構成されており、第３線路１８を流れる電流を第３線路１８の電位を基準として検出する。第３電流検出部７で検出された第３電流信号Ｉ３は、第３電力−パルス変換部１１に送られる。
【００３３】
第３電源回路１０は、第３相とＮ相との相間電圧（単相３線式では１００Ｖ）からロジックレベルの電圧を有する直流電力を生成する。この場合、第３線路１８の電位が基準電位、グランドＧ３として使用される。第３電源回路１０で生成された直流電力は、第３電力−パルス変換部１１に供給される。
【００３４】
第３電力−パルス変換部１１は、本発明の第２の電力計算部に対応する。第３電力−パルス変換部１１は、第３電圧検出部５からの第３電圧信号Ｖ３と第３電流検出部７からの第３電流信号Ｉ３とを乗算して第３相（本発明の第２経路に対応する）の電力を算出し、算出された電力に含まれる正方向の電力に比例した周波数の正パルス信号＋Ｐ３と負方向の電力に比例した周波数の負パルス信号−Ｐ３とから成る第２電力信号を生成する。従って、この第２電力信号は、第３線路１８の電位を基準とする信号である。第３電力−パルス変換部１１で生成された正パルス信号＋Ｐ３及び負パルス信号−Ｐ３は、それぞれ、第１光結合部１２及び第２光結合部１３に送られる。
【００３５】
第１光結合部１２は、本発明の変換部の一部に対応し、例えばフォトカプラから構成されている。第１光結合部１２は、第３電力−パルス変換部１１からの正パルス信号＋Ｐ３を入力し、入力された正パルス信号＋Ｐ３と電気的に絶縁された正パルス信号＋Ｐ３をパルス合成・積算計量部１４に送る。第１光結合部１２の出力側のトランジスタは、第１電源回路８からの電力で動作するようにパルス合成・積算計量部１４に接続される。従って、第３電力−パルス変換部１１から第１光結合部１２を経由して送られている正パルス信号＋Ｐ３は、第１線路１６の電位を基準とする信号に変換される。
【００３６】
第２光結合部１３は、本発明の変換部の他の一部に対応し、例えばフォトカプラから構成されている。第２光結合部１３は、第３電力−パルス変換部１１からの負パルス信号−Ｐ３を入力し、負パルス信号−Ｐ３と電気的に絶縁された負パルス信号−Ｐ３をパルス合成・積算計量部１４に送られる。第２光結合部１３の出力側のトランジスタは、第１電源回路８からの電力で動作するようにパルス合成・積算計量部１４に接続される。従って、第３電力−パルス変換部１１から第２光結合部１３を経由して送られている負パルス信号−Ｐ３は、第１線路１６の電位を基準とする信号に変換される。
【００３７】
パルス合成・積算計量部１４は、第１電力−パルス変換部９から送られてくる正パルス信号＋Ｐ１に含まれるパルス及び負パルス信号−Ｐ１に含まれるパルス、並びに第３電力−パルス変換部１１から第１光結合部１２を経由して送られてくる正パルス信号＋Ｐ３に含まれるパルス及び第２光結合部１３を経由して送られてくる負パルス信号−Ｐ３に含まれるパルスをそれぞれ計数する。そして、パルス合成・積算計量部１４は、計数されたパルスを符号を考慮して積算（累積加算）することにより合成して記憶すると共に、使用電力量として表示部１５に送る。これにより、使用電力量が表示部１５に表示される。
【００３８】
以上説明したように、１００Ｖの交流単相３線式の場合、第１線路１６の電位と第３線路の電位との差は交流２００Ｖであるが、第３電力−パルス変換部１１からの正パルス信号＋Ｐ３及び負パルス信号−Ｐ３は、第１光結合部１２及び第２光結合部１３で絶縁されて、第１線路１６の基準電位を有する信号に変換されるので、第１電力−パルス変換部９からの正パルス信号＋Ｐ１及び負パルス信号−Ｐ１と同じ基準電位を有することになる。
【００３９】
従って、第１電流検出部６及び第３電流検出部７としてシャント抵抗を用いることができる。その結果、簡単な回路で歪み波形や直流成分を含んだ交流電流でも正確に計量できる電子式電力量計を実現することができる。
【００４０】
（第２の実施の形態）
本発明の第２の実施の形態に係る電子式電力量計は、電力に比例した周波数のパルス信号の生成方法が第１の実施の形態のそれと異なる。以下では、第１の実施の形態の構成部分と同一部分には第１の実施の形態で用いた符号と同じ符号を用いて説明を省略する。
【００４１】
図２は本発明の第２の実施の形態に係る低圧用の単相３線式の電子式電力量計の構成を示すブロック図である。電子式電力量計は、電源側端子２、負荷側端子３、第１電圧検出部４、第３電圧検出部５、第１電流検出部６、第３電流検出部７、第１電源回路８、第１電力−パルス変換部２２、第３電源回路１０、第３電力−パルス変換部２３、第１光結合部１２、第２光結合部１３、パルス合成・積算計量部２４及び表示部１５から構成されている。
【００４２】
第１電力−パルス変換部２２は、第１電圧検出部４からの第１電圧信号Ｖ１と第１電流検出部６からの第１電流信号Ｉ１とを乗算して第１相（本発明の第１経路に対応する）の電力を算出し、算出された電力に比例した周波数のパルス信号Ｐ１と該パルス信号Ｐ１が正方向の電力であるか負方向の電力であるかを表す符号信号（＋／−）とから成る第１電力信号を生成する。この第１電力信号は、第１線路１６の電位を基準とする信号である。第１電力−パルス変換部２２で生成されたパルス信号Ｐ１及び符号信号（＋／−）は、パルス合成・積算計量部２４に送られる。
【００４３】
第３電力−パルス変換部２３は、第３電圧検出部５からの第３電圧信号Ｖ３と第３電流検出部７からの第３電流信号Ｉ３とを乗算して第３相（本発明の第２経路に対応する）の電力を算出し、算出された電力に比例した周波数のパルス信号Ｐ３と該パルス信号Ｐ３が正方向の電力であるか負方向の電力であるかを表す符号信号（＋／−）とから成る第２電力信号を生成する。この第２電力信号は、第３線路１８の電位を基準とする信号である。第３電力−パルス変換部２３で生成されたパルス信号Ｐ３及び符号信号（＋／−）は、それぞれ、第１光結合部１２及び第２光結合部１３に送られる。
【００４４】
第１光結合部１２は、第３電力−パルス変換部２３からのパルス信号Ｐ３を入力し、入力されたパルス信号Ｐ３と電気的に絶縁されたパルス信号Ｐ３をパルス合成・積算計量部２４に送る。これにより、第３電力−パルス変換部２３から第１光結合部１２を経由して送られているパルス信号Ｐ３は、第１線路１６の電位を基準とする信号に変換される。
【００４５】
第２光結合部１３は、第３電力−パルス変換部２３からの符号信号（＋／−）を入力し、入力された符号信号（＋／−）と電気的に絶縁された符号信号（＋／−）をパルス合成・積算計量部２４に送る。これにより、第３電力−パルス変換部２３から第２光結合部１３を経由して送られている符号信号（＋／−）は、第１線路１６の電位を基準とする信号に変換される。
【００４６】
パルス合成・積算計量部２４は、第１電力−パルス変換部２２から送られてくるパルス信号Ｐ１を符号信号（＋／−）に応じて累積的に加算又は減算することにより第１電力量を算出する。同様に、第２電力−パルス変換部２３から第１光結合部１２及び第２光結合部１３を経由して送られてくるパルス信号Ｐ３を符号信号（＋／−）に応じて累積的に加算又は減算することにより第２電力量計を算出する。そして、パルス合成・積算計量部２４は、第１電力量と第３電力量とを符号を考慮して加算することにより合成して記憶すると共に、使用電力量として表示部１５に送る。これにより、使用電力量が表示部１５に表示される。
【００４７】
第２の実施の形態に係る電子式電力量計によれば、パルス合成・積算計量部２４は、パルス信号Ｐ１を計数するカウンタとパルス信号Ｐ３を計数するカウンタといった２つのカウンタを備えればよい。従って、正パルス信号＋Ｐ１、負パルス信号−Ｐ１、正パルス信号＋Ｐ３、負パルス信号−Ｐ３を計数するための４つのカウンタを必要とする第１の実施の形態に係る電子式電力量計に比べ、パルス合成・積算計量部２４の構成を簡単にすることができる。
【００４８】
なお、上述した第１及び第２の実施の形態では、単相３線式に使用される電子式電力量計を例に挙げて説明したが、本発明は、例えば三相３線式といった２種類以上の電力を計算して合成する電子式電力量計にも適用可能であるのは勿論である。
【００４９】
【発明の効果】
以上説明したように、本発明によれば、簡単な回路で歪み波形や直流成分を含んだ交流電流でも正確に計量できる電子式電力量計を提供できる。
【図面の簡単な説明】
【図１】本発明の第１の実施の形態に係る電子式電力量計の構成を示すブロック図である。
【図２】本発明の第２の実施の形態に係る電子式電力量計の構成を示すブロック図である。
【図３】従来の電子式電力量計の構成を示すブロック図である。
【符号の説明】
２　電源側端子
３　負荷側端子
４　第１電圧検出部
５　第３電圧検出部
６　第１電流検出部
７　第３電流検出部
８　第１電源回路
９，２２　第１電力−パルス変換部
１０　第２電源回路
１１，２３　第３電力−パルス変換部
１２　第１光結合部
１３　第２光結合部
１４，２４　パルス合成・積算計量部
１５　表示部
１６　第１線路
１７　第２線路
１８　第３線路
【図１】
2004138493.tif 000003
【図２】
2004138493.tif 000004
【図３】
2004138493.tif 000005